(57)【要約】【課題】  冬の浴室に裸で入る時の、身震いする寒さを解消するため、窓から侵入する冷気や隙間風対策を施し、心臓発作や脳出血などが多発する危険を防ぎ、浴室や部屋等を暖かく気持ちの良い空間を確保する。【解決手段】スクリーン２を、軸棒１０にロール状に巻き取り、巻きだし、巻き込みを可能に窓枠上部に設け、窓枠２０や１６の周囲に、弾性を持つ開口溝を有するスクリーン係止部の浴室用３０や３１、部屋用の３２を設け、撥水性のスクリーンに保温効果を上げるシート状の保温材１９をスクリーンの間に挟みこむ構造とし、滞留空気層を効果的につくり、弾性を持つ開口溝の挟み込み部に、スクリーン２の周縁部を、折り曲げ自在に曲がる紐状弾性体４と共に嵌合し、窓の全面や半面を覆う保温装置を形成する。【選択図】図１
0003131388.tif 000002
【実用新案登録請求の範囲】
【請求項１】
ロール状のスクリーンを、巻き出し、巻き込み可能に窓枠上部に設け、窓枠の周囲に、開口溝を有する係止部を設け、スクリーンの周縁部を、開口溝に紐状弾性体で、挟み込んで係止することを特徴とするスクリーンタイプの保温装置。
【請求項２】
前記保温装置において、スクリーンは、片面又は両面に撥水性を備えたスクリーンと、中間にシート状に、保温材を重ね合わせてなる、請求項１記載のスクリーンタイプの保温装置。
【請求項３】
前記係止部は、窓枠の少なくとも上辺部を除く周囲全体に、開口溝を有する係止具を取り付けてなる請求項１記載のスクリーンタイプの保温装置。
【請求項４】
前記係止具は、窓枠周囲に固着した固定具に、着脱自在に取り付けられてなることを特徴とする請求項３記載のスクリーンタイプ保温装置。
【考案の詳細な説明】
【技術分野】
【０００１】  本考案は、浴室や部屋等の保温装置に関するものである。
【背景技術】
【０００２】  冬場の浴室に裸で入るとき、あまりの寒さに身震いする原因は、スライドする窓枠の交差する部分の隙間から入り込む隙間風と窓ガラス越しに降りてくる冷気である、思わず風呂蓋を開け熱い浴槽に飛び込むのは、冷えた体には、その温度差があまりに危険な行為で、心臓発作や脳出血などを伴うのは、高齢者だけではない、若い人も同じである。【０００３】  部屋でも同様に、スライドするガラス窓枠の交差する部分の隙間から入り込む隙間風と窓ガラス越しに降りてくる冷気である、寒冷地や強風の地域ではカーテン等の下から侵入する隙間風や冷気を防ぎきれていない。【０００４】  過去の対策では、浴室及び部屋でも窓の一枚ガラスを二枚にし、カーテンを厚くするなどの工夫で、冷気の侵入を防ぐ効果はかなり上がったが、隙間風や冷気も完全には遮断できていない問題を残している。【０００５】  また、特許文献１に記載されているように、ロールスクリーンの取り付け構造が提案されているが、これも保温効果の点で問題があり本件考案の課題を解決するものではなかった。
【特許文献１】実開平６−２２４９６号公報
【考案の開示】
【考案が解決しようとする課題】
【０００６】  本考案は、上記の点に鑑みなされたものであって、浴室や部屋等の窓ガラスを含む窓枠の全面や半面を覆うことによって、窓からの隙間風や冷気の侵入を遮断し、暖かくて気持ちの良い入浴が出来るようにする事で、身体的突発事故の心臓発作や脳出血等を防ぐこともでき、気持ちの良い暖かな癒し効果を生む、浴室と部屋等の保温装置を効果的に提供するものである。
【課題を解決するための手段】
【０００７】  本考案の要旨とするところは、窓枠の上部における、着脱可能にする撥水性スクリーン設置と浴室や部屋の壁及び窓枠の周囲に、開口溝を有するスクリーン係止具を固着し、スクリーンの中間にシート状に薄い保温材を重ね合わせた、撥水性スクリーンの周縁部を、開口溝に、折り曲げ自在な紐状弾性体と共に挟み込み、窓の全面や半面を覆い、窓から侵入する隙間風や冷気を遮断し、シート状の薄い保温材は、滞留空気層を効果的に作り出す浴室と部屋等の保温装置である。【０００８】  ロール状のスクリーンを、巻きだし、巻き込み可能に窓枠上部に設け、窓枠の周囲に、開口溝を有する係止部を設け、スクリーンの周縁部を、開口溝に紐状弾性体で、挟み込んで係止することを特徴とするスクリーンタイプの保温装置。【０００９】  前記保温装置においてスクリーンは、片面又は両面に撥水性を備えたスクリーンと、中間にシート状に、保温材を重ね合わせてなる、請求項１記載のスクリーンタイプの保温装置。【００１０】  前記係止部は、窓枠の少なくとも上辺部を除く周囲全体に、開口溝を有する係止具を取り付けてなる請求項１記載のスクリーンタイプの保温装置。【００１１】  前記係止具は、窓枠周囲に固着した固定具に、着脱自在に取り付けられてなることを特徴とする請求項３記載の保温装置。【００１２】  中間にシート状に、薄い保温材を挟む撥水性スクリーンの使用が保温効果は大きいが、設置場所により、この保温材を挟むことが困難であれば、撥水性の２枚あるいは、１枚スクリーンだけの使用でもかなりの保温効果を期待できる。
【考案の効果】
【００１３】  本考案は、上記の如き構成であるから、冬場の寒冷地や山間の地域、海沿いや高台などでは、窓からの隙間風や冷気の侵入を遮断するので、今まで体験したことの無い、真冬に半身浴ができるほどの保温効果を発揮し、快適で気持ちの良い入浴ができることから、心臓発作や脳出血などの身体的突発事故を防ぐことができる。【００１４】  上記保温装置で、部屋用では、快適に過ごせる癒し空間の提供と、掃除等をする時は、窓の開閉が出来るように、固定したスクリーンを外すことなく、部屋用スクリーン挟み込み部の着脱部側の取り付け部分のみを取り外せば、簡単に掃除ができるという長所があり、掃除が終われば元に戻せばよい、シート状の薄い保温材がスクリーンの間にあるため、保温効果を上げて視界を遮るので外の採光を維持しながら、外から中を覗かれない防犯効果も得られるのである。【００１５】  上記保温装置の、撥水性のスクリーン張り付けでは、開口溝を有するスクリーン係止具を、浴室内壁に固着するのが速く簡単にできるが、壁にこの器具の取り付けスペースが無く、壁への取り付けが無い場所は、窓枠内側に取り付けできる便利さを備えており、そのうえシート状の薄い保温材を挟んだ撥水性のスクリーンを使用するため、浴室の蒸気を窓ガラス側への通過を遮断するため、窓に結露が付かないので、窓周辺の外壁に青黴の発生も防ぐ効果が大きい、更に窓ガラス固定の押さえゴムやプラスチックの、劣化防止もできるという相乗効果を発揮する。
【考案を実施するための最良の形態】
【００１６】  本考案を実施する最良の形態は、窓枠上部における、撥水性のスクリーンをロール状に巻き、巻きだし、巻き込みを可能にするスクリーン取り付け部と、窓枠周囲に固着する開口溝を備えたスクリーン係止具を設け、スクリーン周縁部を、開口溝に紐状弾性体と共に挟み込んで係止することによって保温装置本体を構成する。
そして、保温装置本体は、シート状に薄い保温材を挟む撥水性スクリーンと、折り曲げ自在に曲がる紐状弾性体と、弾性を備えた開口溝を持つスクリーン係止具とによって形成し、撥水性スクリーンは、片面又は両面に撥水性を備え、中間にシート状に薄い保温材を重ね合わせて、軸棒にロール状に巻き、軸棒は挿抜自在な切り込みを持つ受け枠に挿入し、この受け枠を両サイドに備えた取り付け部を形成し、スクリーンを張り付ける係止具は、弾性を持つ開口溝を備えた曲線部と直線部からなる挟み込み部であり、曲線部は、窓枠四隅のコーナー用で、直線部は曲線部間を繋ぎ窓枠周囲に組み合わせて固着し、折り曲げ自在な紐状弾性体は、中空パイプ状で折り曲げ自在な特徴を持つ柔軟性を備えており、スクリーン周縁部と共に開口溝に嵌合し、窓枠の全面や半面を覆う様にするものである。【００１７】  以下、本考案の実施形態について説明する。
図１はスクリーン保温装置を浴室内壁に張り付けた斜視図、図２は浴室内の窓枠と窓ガラスの全体斜視図、図３はスクリーン保温装置を浴室窓枠内側に張り付けた斜視図、図４はスクリーンを軸棒に巻き付けた斜視図、図５はスクリーン軸棒受け枠の斜視図、図６は図４のＣ−Ｃ線断面拡大図、図７は図１のＡ−Ａ線断面図、図８は図３のＢ−Ｂ線断面図、図９は浴室壁用スクリーン係止具と紐状弾性体を示す斜視図、図１０は紐状弾性体と共にスクリーンの挟み込みを示す斜視図、図１１は浴室壁スクリーン挟み込み曲線部の平面図、図１２は浴室壁スクリーン挟み込み曲線部の正面図、図１３は浴室窓枠用スクリーン係止具と紐状弾性体を示す斜視図、図１４は紐状弾性体と共にスクリーンの挟み込みを示す斜視図、図１５は浴室窓枠スクリーン挟み込み曲線部の平面図、図１６は浴室窓枠スクリーン挟み込み曲線部の正面図、図１７は紐状弾性体取り付け取り外し用器具の正面図、図１８は紐状弾性体取り付け取り外し用器具の側面図、図１９はスクリーン保温装置を部屋の窓枠周囲に張り付けた斜視図、図２０は図１９のＤ−Ｄ線断面図、図２１は図１９のＥ−Ｅ線断面図、図２２は部屋用スクリーン係止具と紐状弾性体を示し着脱部の凹部と凸部を示す斜視図、図２３は部屋用スクリーン挟み込みと着脱部の組み込みを示す斜視図、図２４は部屋用スクリーン挟み込み曲線部の平面図、図２５は部屋用スクリーン挟み込み部と着脱部凹部の曲線部を示す正面図、図２６は部屋用着脱部の凸部曲線部を示す平面図、図２７は部屋用着脱部の凸部曲線部を示す正面図、図２８はスクリーン軸棒受け枠の底面に接着ラベルを貼り付けた正面図、図２９は図２８のＦ−Ｆ線断面図、図３０は浴室壁用スクリーン係止具の底面に接着ラベルを貼り付けた正面図、図３１は図３０のＧ−Ｇ線断面図、図３２は浴室窓枠用スクリーン係止具の底面に接着ラベルを貼り付けた正面図、図３３は図３２のＨ−Ｈ線断面図、図３４は部屋用着脱部の凸部底面に接着ラベルを貼り付けた正面図、図３５は図３４のＩ−Ｉ線断面図、である。【００１８】  図１乃至図３に示す１は、樹脂などから成るスクリーンと弾性を備えた開口溝を持つ係止具からなる浴室の窓枠全面を覆う保温装置であり、この保温装置１は、着脱可能な軸棒１０にスクリーン２を巻きつけて、取り付け台５の両サイドに固着した、挿抜自在な切り込みを持つ受け枠６に嵌める、そして取り付け台５は、浴室窓枠内壁上部に接着ラベル９で貼り付ける。【００１９】  図１、図３及び図１９に示すスクリーン２は、図６に示すように表２ａと裏２ｂの中間にシート状の薄い保温材１９を挟む構造とし、効率の良い滞留空気層を構成できる。【００２０】  図９に示す、浴室壁用スクリーン挟み込み部の直線部３０ａは、窓枠周囲の壁に接着ラベル９で貼り付け固着し、そして図１１に示すように開口溝が弧を描く、挟み込み部の曲線部３０ｂは、３０ａの直線部を固着した後に出来る、窓枠周囲の四隅に出来た隙間を埋める挟み込み部で、直線部と組み合わせて固着し、スクリーンを安定して挟み込むことができる。【００２１】  図１３に示す、浴室窓枠用スクリーン挟み込み部の直線部３１ａは、窓枠内側に接着ラベル９で貼り付け固着し、そして図１５に示す、挟み込み部���弧を描く曲線部３１ｂは、窓枠四隅の曲線部挟み込み部で、スクリーンを安定して挟み込むことができ、隙間も防ぐ効果があるが、使い方として、まず曲線部から先に窓枠の四隅に取り付け、その後にスクリーン挟み込み部の直線部を、窓枠の長さに応じて取り付けるが、挟み込み部の四面を平行に取り付けると、スクリーンを安定して張り付けできる。【００２２】  図９、図１３及び図２２に示す、紐状弾性体４は、中空パイプ状の形状からなり、折り曲げ自在な弾性体から構成される。
そして、浴室用スクリーン挟み込み部の直線部と曲線部を組み合わせて固着した開口溝と、部屋用スクリーン挟み込み部の直線部と曲線部を組み合わせて固着した開口溝に紐状弾性体４とスクリーン２の周縁部を共に押し込み嵌合するのである。【００２３】  図１９に示す１１は、樹脂などからなるスクリーンと弾性を備えた開口溝を持つ係止具からなる部屋用の窓の半面や全面を覆う保温装置であり、この保温装置１１は、スクリーンの中間にシート状の薄い保温材１９を挟み込み、スクリーン２の周縁部を、窓枠  周囲に固着した部屋用スクリーン挟み込み部の開口溝に、折り曲げ自在に曲がる紐状弾性体の４と共に、押し込み嵌合するである。【００２４】  次に、上記実施形態の作用について説明する。
先ず、スクリーン２を取り付け器具５と共に、浴室内の窓枠上部の壁にセットするがこの場合には、取り付け器具５の底面に粘着した接着ラベル９で貼り付ける。
一方浴室の室内壁２１及び窓枠２０の周囲に、弾性を有する開口溝を持つ挟み込み部３０ａと３０ｂ及び，３１ａと３１ｂも同じく組み合わせて接着ラベル９で貼り付けてあり、折り曲げ自在に曲がる紐状弾性体４で、シート状の薄い保温材を挟んだ、スクリーン２の周縁部を、取り付け取り外しの専用器具１２を使って、挟み込み部の開口溝に共に押し込み嵌合し、窓の全面を覆うと、セットは完了するのである。【００２５】  次に部屋用では、シート状の薄い保温材１９をスクリーンの間に挟んだ構造とし、窓枠１６の両サイドと下部に固着した着脱部２５に２４を組込むと、部屋用の開口溝を持つ挟み込み部３２ａと３２ｂも組み合わされて、折り曲げ自在に曲がる紐状弾性体４で、スクリーン２の周縁部を取り付け取り外しの専用器具１２を使って、開口溝に共に押し込み嵌合し、窓の全面や半面を覆うと、セットは完了するのである。
【図面の簡単な説明】
【００２６】
【図１】スクリーン保温装置を浴室内壁に張り付けた斜視図
【図２】浴室内の窓枠と窓ガラスの全体斜視図
【図３】スクリーン保温装置を浴室窓枠内側に張り付けた斜視図
【図４】スクリーンを軸棒に巻き付けた斜視図
【図５】スクリーン軸棒受け枠の斜視図
【図６】図４のＣ−Ｃ線断面拡大図
【図７】図１のＡ−Ａ線断面図
【図８】図３のＢ−Ｂ線断面図
【図９】浴室壁用スクリーンを挟み込む係止具と紐状弾性体を示す斜視図
【図１０】紐状弾性体と共にスクリーンの挟み込みを示す斜視図
【図１１】浴室壁スクリーン挟み込み曲線部の平面図
【図１２】浴室壁スクリーン挟み込み曲線部の正面図
【図１３】浴室窓枠用スクリーンを挟み込む係止具と紐状弾性体を示す斜視図
【図１４】紐状弾性体と共にスクリーンの挟み込みを示す斜視図
【図１５】浴室窓枠スクリーン挟み込み曲線部の平面図
【図１６】浴室窓枠スクリーン挟み込み曲線部の正面図
【図１７】紐状弾性体取り付け取り外し用器具の正面図
【図１８】紐状弾性体取り付け取り外し用器具の側面図
【図１９】スクリーン保温装置を部屋の窓枠周囲に張り付けた斜視図
【図２０】図１９のＤ−Ｄ線断面図
【図２１】図１９のＥ−Ｅ線断面図
【図２２】部屋用スクリーンを挟み込む係止具と紐状弾性体を示し着脱部の凹部と凸部を示す斜視図
【図２３】部屋用スクリーン挟み込みと着脱部の組み込みを示す斜視図
【図２４】部屋用スクリーン挟み込み曲線部の平面図
【図２５】部屋用スクリーン挟み込み部と着脱部の凹部曲線部を示す正面図
【図２６】部屋用着脱部の凸部曲線部を示す平面図
【図２７】部屋用着脱部の凸部曲線部を示す正面図
【図２８】スクリーン軸棒受け枠の底面に接着ラベルを貼り付けた正面図
【図２９】図２８のＦ−Ｆ線断面図
【図３０】浴室壁用スクリーン係止具の底面に接着ラベルを貼り付けた正面図
【図３１】図３０のＧ−Ｇ線断面図
【図３２】浴室窓枠用スクリーン係止具の底面に接着ラベルを貼り付けた正面図
【図３３】図３２のＨ−Ｈ線断面図
【図３４】部屋用着脱部の凸部底面に接着ラベルを貼り付けた正面図
【図３５】図３４のＩ−Ｉ線断面図
【符号の説明】
【００２７】１    浴室の保温装置
２    スクリーン
３    開口溝を有するスクリーン系止部
３０  浴室壁用スクリーンを挟み込む係止具
３０ａ浴室壁用直線部スクリーン挟み込み部
３０ｂ浴室壁用曲線部スクリーン挟み込み部
３１  浴室窓枠用スクリーンを挟み込む係止具
３１ａ浴室窓枠用直線部スクリーン挟み込み部
３１ｂ浴室窓枠用曲線部スクリーン挟み込み部
３２  部屋用スクリーンを挟み込む係止具
３２ａ部屋用直線部スクリーン挟み込み部
３２ｂ部屋用曲線部スクリーン挟み込み部
４    紐状弾性体
５    スクリーン取り付け部
６    スクリーン軸棒受け枠
７    巻取り用つまみ
８    端末圧着部
９    接着ラベル
１０  スクリーン巻取り軸棒
１１  部屋の保温装置
１２  紐状弾性体取り付け取り外し器具
１３  押さえ用コロ
１４  コロ取り付け軸
１５  コロ凹部
１６  部屋用窓枠
１７  部屋用窓ガラス枠
１８  スクリーンを挟み込む係止具と着脱部の接合部
１９  シート状の薄い保温材
２０  浴室用窓枠
２１  浴室用室内壁
２２  浴室用ガラス窓枠
２３  窓ガラス
２４  部屋用着脱部の凹部
２５  部屋用着脱部の凸部
【図１】
0003131388.tif 000003
【図２】
0003131388.tif 000004
【図３】
0003131388.tif 000005
【図４】
0003131388.tif 000006
【図５】
0003131388.tif 000007
【図６】
0003131388.tif 000008
【図７】
0003131388.tif 000009
【図８】
0003131388.tif 000010
【図９】
0003131388.tif 000011
【図１０】
0003131388.tif 000012
【図１１】
0003131388.tif 000013
【図１２】
0003131388.tif 000014
【図１３】
0003131388.tif 000015
【図１４】
0003131388.tif 000016
【図１５】
0003131388.tif 000017
【図１６】
0003131388.tif 000018
【図１７】
0003131388.tif 000019
【図１８】
0003131388.tif 000020
【図１９】
0003131388.tif 000021
【図２０】
0003131388.tif 000022
【図２１】
0003131388.tif 000023
【図２２】
0003131388.tif 000024
【図２３】
0003131388.tif 000025
【図２４】
0003131388.tif 000026
【図２５】
0003131388.tif 000027
【図２６】
0003131388.tif 000028
【図２７】
0003131388.tif 000029
【図２８】
0003131388.tif 000030
【図２９】
0003131388.tif 000031
【図３０】
0003131388.tif 000032
【図３１】
0003131388.tif 000033
【図３２】
0003131388.tif 000034
【図３３】
0003131388.tif 000035
【図３４】
0003131388.tif 000036
【図３５】
0003131388.tif 000037